(57)【要約】【課題】本発明は、トイレ内の照明を適正に点灯させるトイレ照明制御装置を提供することを目的とする。【解決手段】トイレ１０内を検出範囲として、人の動きにより人の存在を検知する人感センサ２１と、トイレ１０内に設けられた照明器具１４とを備えるトイレ１０に適用され、人感センサ２１により人が検知されることに基づいて、照明器具１４を点灯状態とするトイレ照明制御装置であって、トイレ１０内において、人により所定の器具が使用されている状態であることを判定する使用判定手段と、人感センサ２１によりトイレ１０内に人が存在しないと判定されても、使用判定手段で人により器具が使用されていると判定した場合には、照明器具１４の点灯状態を維持する照明制御手段を備える。【選択図】      図２
2019046622.tif 000002
【特許請求の範囲】
【請求項１】
トイレ内を検出範囲として、人の動きにより人の存在を検知する人感センサと、
前記トイレ内に設けられた照明器具と
を備えるトイレに適用され、
前記人感センサにより人が検知されることに基づいて、前記照明器具を点灯状態とするトイレ照明制御装置であって、
前記トイレ内において、人により所定の器具が使用されている状態であることを判定する使用判定手段と、
前記使用判定手段で人により前記所定の器具が使用されていると判定した場合には、前記人感センサにより人が検知されていなくても、前記照明器具の点灯状態を維持する照明制御手段とを備えるトイレ照明制御装置。
【請求項２】
前記トイレ内の便器の使用を検出する便器センサを備え、
前記使用判定手段は、前記便器センサの検出結果に基づいて、前記所定の器具として前記便器が使用されている状態であることを判定し、
前記照明制御手段は、前記使用判定手段で前記便器が使用されていると判定した場合には、前記人感センサにより人が検知されていなくても、前記照明器具の点灯状態を維持する請求項１に記載のトイレ照明制御装置。
【請求項３】
前記便器センサは、前記便器の上蓋の開閉状態を検出する上蓋センサであって、
前記使用判定手段は、前記上蓋センサにより前記便器の上蓋が開いている状態であることが検出されている場合に、前記便器が使用されている状態であると判定する請求項２に記載のトイレ照明制御装置。
【請求項４】
前記上蓋センサにより前記便器の上蓋が開いている状態であることが検出されている場合に、前記上蓋が開いたまま放置されていることを判定する放置判定手段と、
前記放置判定手段で前記上蓋が開いたまま放置されていると判定した場合に、前記照明器具を消灯させる消灯手段と
を備える請求項３に記載のトイレ照明制御装置。
【請求項５】
前記トイレの出入り口に設けられた扉の開閉を検出する扉センサを備え、
前記放置判定手段は、前記扉センサにより前記扉が開いていると検出している状態で、前記人感センサにより人の存在を検知しなくなることで、前記上蓋が開いたまま放置されていると判定する請求項４に記載のトイレ照明制御装置。
【請求項６】
前記放置判定手段は、前記上蓋が開いた状態になってから所定の時間が経過したことで、前記上蓋が開いたまま放置されていると判定する請求項４に記載のトイレ照明制御装置。
【請求項７】
前記便器センサは、前記便器への着座を検出する着座センサであって、
前記使用判定手段は、前記着座センサにより前記便器への着座が検出された場合に、前記便器が使用されている状態であると判定する請求項２に記載のトイレ照明制御装置。
【請求項８】
前記トイレの出入り口に設けられた扉の施錠器具が施錠状態になっていることを検出する施錠センサを備え、
前記使用判定手段は、前記施錠センサの検出結果に基づいて、前記所定の器具として前記施錠器具が使用されている状態であることを判定し、
前記照明制御手段は、前記使用判定手段で前記施錠器具が使用されていると判定した場合には、前記人感センサにより人が検知されていなくても、前記照明器具の点灯状態を維持する請求項１に記載のトイレ照明制御装置。
【発明の詳細な説明】
【技術分野】
【０００１】
本発明は、トイレ照明制御装置に関する。
【背景技術】
【０００２】
トイレ内に人がいることを検出して、照明を点灯するものとして、例えば、特許文献１の照明システムがある。この照明システムでは、人感センサによる照明の点灯及び消灯を行うとともに、人感センサが検出できない領域に補助センサを設けて、この補助センサにも応答して、照明を点灯するようにしている。
【先行技術文献】
【特許文献】
【０００３】
【特許文献１】特開２００７−２６９７３号公報
【発明の概要】
【発明が解決しようとする課題】
【０００４】
ところで、一般的にトイレでは、人の動きを検知する人感センサが用いられており、例えば、人の動きによる赤外線の変化に基づいて、人を検知する焦電型赤外線センサが用いられる。焦電型赤外線センサは、カメラなどを用いた人の検知方法に比べると、安価で、構成が簡易で、低電力であるため、よく用いられている。しかしながら、人の動きによる赤外線の変化を検出する焦電型赤外線センサでは、人が動かない（静止状態）でいると、人が検出されなくなる。そのため、トイレ内の人が用を足す際に静止状態でいると、トイレ内に人が存在するにもかかわらず、人がいないと判断されて消灯される欠点があった。
【０００５】
本発明は、上記事情に鑑みてなされたものであって、トイレ内の照明を適正に点灯させるトイレ照明制御装置を提供することを目的とする。
【課題を解決するための手段】
【０００６】
上記課題を解決すべく、第１の発明のトイレ照明制御装置は、トイレ内を検出範囲として、人の動きにより人の存在を検知する人感センサと、前記トイレ内に設けられた照明器具とを備えるトイレに適用され、前記人感センサにより人が検知されることに基づいて、前記照明器具を点灯状態とするトイレ照明制御装置であって、前記トイレ内において、人により所定の器具が使用されている状態であることを判定する使用判定手段と、前記使用判定手段で人により器具が使用されていると判定した場合には、前記人感センサにより人が検知されていなくても、前記照明器具の点灯状態を維持する照明制御手段とを備えることを特徴とする。
【０００７】
人感センサ式の照明システムでは、人がトイレに入ることに伴い照明器具を点灯させることができる。一方で、人感センサは、人の動きを捉えているため、人がトイレ内で静止していると、人の存在が検出されなくなる。
【０００８】
本発明によれば、人感センサによって人が検出されない場合であっても、人により所定の器具が使用されていると判定された場合には、照明器具の点灯が維持される。そのため、人がトイレ内にいるのに、照明器具が消灯されることを防ぐことができ、トイレ内の照明を適正に点灯させることができる。
【０００９】
第２の発明のトイレ照明制御装置は、第１の発明において、前記トイレ内の便器の使用を検出する便器センサを備え、前記使用判定手段は、前記便器センサの検出結果に基づいて、前記所定の器具として前記トイレ内に設けられた便器が使用されている状態であることを判定し、前記照明制御手段は、前記使用判定手段で前記便器が使用されていると判定した場合には、前記人感センサにより人が検知されていなくても、前記照明器具の点灯状態を維持することを特徴とする。
【００１０】
本発明によれば、便器センサにより便器が使用されていると検出された場合には、人感センサによって人が検出されない場合であっても、照明器具の点灯が維持される。この場合、便器が使用されていることにより、人が用を足していることを適正に把握できる。これにより、トイレ内の照明を適正に点灯させることができる。
【００１１】
第３の発明のトイレ照明制御装置は、第２の発明において、前記便器センサは、前記便器の上蓋の開閉状態を検出する上蓋センサであって、前記使用判定手段は、前記上蓋センサにより前記便器の上蓋が開いている状態であることが検出されている場合に、前記便器が使用されている状態であると判定することを特徴とする。
【００１２】
人が便器を使用しているときには、便器の上蓋が開いている状態となっている。そこで、本発明によれば、便器の上蓋が開いている状態となっていることに基づいて、トイレ内の照明を適正に点灯させることができる。
【００１３】
第４の発明のトイレ照明制御装置は、第３の発明において、前記上蓋センサにより前記便器の上蓋が開いている状態であることが検出されている場合に、前記上蓋が開いたまま放置されていることを判定する放置判定手段と、前記放置判定手段で前記上蓋が開いたまま放置されていると判定した場合に、前記照明器具を消灯させる消灯手段とを備えることを特徴とする。
【００１４】
第３の発明においては、上蓋センサにより上蓋が開いている状態であることが検出されている場合には、人感センサで人が検出されない場合であっても、照明器具の点灯が維持される。その反面、人が上蓋を開いたまま放置してトイレから退出した場合に、照明器具が点灯のままとなってしまう。この点、本発明では、上蓋が開いている状態であることが検出されていても、上蓋が開いたまま放置されていると判定した場合には、照明器具を消灯することとしたため、節電等の点から好ましく、トイレ内の照明をより適正に点灯及び消灯させることができる。
【００１５】
第５の発明のトイレ照明制御装置は、第４の発明において、前記トイレの出入り口に設けられた扉の開閉を検出する扉センサを備え、前記放置判定手段は、前記扉センサにより前記扉が開いていることを検出している状態で、前記人感センサにより人の存在を検知しなくなることで、前記上蓋が開いたまま放置されていると判定することを特徴とする。
【００１６】
一般的に、トイレから人が退出する際には、出入り口の扉が開いている状態で、人がいなくなる。そこで、本発明では、扉が開いていると検出された状態で、人感センサが人の存在を検知しなくなると、トイレから人が退出したと推定できる。上蓋が開いている状態を検出していても、扉が開いており、かつ、人感センサが人の存在を検知しなくなる場合には、上蓋が開いたまま放置されていると判定し、照明器具を消灯することとしたため、節電等の点から好ましく、トイレ内の照明をより適正に点灯及び消灯させることができる。
【００１７】
第６の発明のトイレ照明制御装置は、第３の発明において、前記放置判定手段は、前記上蓋が開いた状態になってから所定の時間が経過したことで、前記上蓋が開いたまま放置されていると判定することを特徴とする。
【００１８】
上蓋が開いた状態から所定の時間が経過した場合には、人がトイレから退出した際に、上蓋を開いたままで退出したと考えられる。そこで、本発明では、上蓋が開いている状態を検出していても、所定の時間が経過した場合には、上蓋が開いたまま放置されていると判定し、照明器具を消灯することとしたため、節電等の点から好ましく、トイレ内の照明をより適正に点灯及び消灯させることができる。
【００１９】
第７の発明のトイレ照明制御装置は、第２の発明において、前記便器センサは、前記便器への着座を検出する着座センサであって、前記使用判定手段は、前記着座センサにより前記便器への着座が検出された場合に、前記便器が使用されている状態であると判定することを特徴とする。
【００２０】
人が便器を着座で使用しているときには、便器の着座センサで着座を検出する状態となっている。本発明では、着座を検出する状態となっていることに基づいて、トイレ内の照明を適正に点灯させることができる。また、最近の便器には、温水洗浄便座等の誤作動を防止したり、自動で水洗を行ったりするために、着座センサが設けられていることが多い。そのため、既存のセンサを用いて、便器の使用状態を検出することができる。
【００２１】
第８の発明のトイレ照明制御装置は、第１の発明において、前記トイレの出入り口に設けられた扉の施錠器具が施錠状態になっていることを検出する施錠センサを備え、前記使用判定手段は、前記施錠センサの検出結果に基づいて、前記所定の器具として前記施錠器具が使用されている状態であることを判定し、前記照明制御手段は、前記使用判定手段で前記施錠器具が使用されていると判定した場合には、前記人感センサにより人が検知されていなくても、前記照明器具の点灯状態を維持することを特徴とする。
【００２２】
人がトイレ内に存在する場合に、トイレの扉の施錠器具を施錠状態のまま退出することはできない。本発明によれば、施錠センサにより施錠器具が使用されている（施錠器具が施錠状態にある）と検出された場合には、人感センサによって人が検出されない場合であっても、照明器具の点灯が維持される。この場合、施錠器具が使用されていることにより、人がトイレ内にいることを適正に把握できる。これにより、トイレ内の照明を適正に点灯させることができる。
【図面の簡単な説明】
【００２３】
【図１】トイレの概略構成図
【図２】第１実施形態での照明制御の処理手順を示すフローチャート
【図３】照明制御のタイムチャート
【図４】照明制御のタイムチャート
【図５】第２実施形態での照明制御の処理手順を示すフローチャート
【図６】第３実施形態での照明制御の処理手順を示すフローチャート
【発明を実施するための形態】
【００２４】
＜第１実施形態＞
以下、本発明を具体化した第１実施形態を説明する。以下、図１の概略構造図を参照してトイレ照明制御装置が適用されるトイレ１０について説明する。
【００２５】
図１に示すように、トイレ１０には、出入り口１１に扉１２が設けられている。扉１２には、トイレ１０内からの施錠操作が可能な施錠器具１３が設けられている。また、トイレ１０の天井には、トイレ１０内を照らす照明器具１４が設けられている。
【００２６】
トイレ１０には、便器１５が設けられている。便器１５は、水洗式の洋式便器となっており、水タンク内の洗浄水を用いて洗浄されるようになっている。便器１５には、ユーザが腰掛けて座るための便座１６を有している。便器１５は、温水によりユーザの肛門等を洗浄する洗浄機能を有する温水洗浄便器となっている。また、便器１５には、上蓋１７が設けられており、便座１６の上方が上蓋１７により覆われる。
【００２７】
トイレ１０内には、人感センサ２１、上蓋センサ２２、着座センサ２３、扉センサ２４、施錠センサ２５が設けられており、各センサ２１〜２５は、マイコン２６に接続されている。
【００２８】
人感センサ２１は、焦電型赤外線センサと呼ばれる種類のもので、人の動きによる赤外線の変化を捉えて、人の存在を検知する。人感センサ２１は、トイレ１０内の壁面に設けられており、トイレ１０内とその出入り口１１の外側辺りを検出範囲とする。なお、人感センサ２１の検出範囲は、扉１２が閉じられているときは、トイレ１０内のみとなる。また、人感センサ２１は、人を検知するとＯＮ信号をマイコン２６に出力する。
【００２９】
上蓋センサ２２は、便器１５の上蓋１７の開閉状態を検出する。上蓋センサ２２は、上蓋１７の縁部に設けられており、便器１５との接触を検知することで、上蓋１７の開閉状態を検出する。また、上蓋センサ２２は、上蓋１７が開いていると（便器１５と接触していないと）ＯＮ信号をマイコン２６に出力する。
【００３０】
着座センサ２３は、便器１５（便座１６）への人の着座を検出する。着座センサ２３は、便器１５の後方側方に設けられており、圧力センサもしくは赤外線センサ等で構成される。着座センサ２３は、温水洗浄便座の制御及び水洗の制御に用いられる。また、着座センサ２３は、人が便座１６に座っているとＯＮ信号をマイコン２６に出力する。
【００３１】
扉センサ２４は、扉１２の開閉状態を検出する。扉センサ２４は、出入り口１１の付近の壁であって、扉１２の開閉状態を検出できる位置に設けられている。扉センサ２４は、扉１２が開くとＯＮ信号をマイコン２６に出力する。
【００３２】
施錠センサ２５は、扉１２の施錠器具１３が施錠されているかを検出する。施錠センサ２５は、施錠器具１３に設けられている。施錠センサ２５は、施錠器具１３が施錠されるとＯＮ信号をマイコン２６に出力する。
【００３３】
マイコン２６は、照明器具１４にも接続されており、各センサ２１〜２５の検出情報に基づいて、照明器具１４を制御する。マイコン２６は、ＣＰＵ、ＲＯＭ、ＲＡＭ、Ｉ／Ｏ等を備えたコンピュータであり、ＣＰＵがＲＯＭにインストールされているプログラムを実行することで、各手段を構成する。
【００３４】
次に、マイコン２６により実行されるトイレ１０の照明器具１４の制御の内容について図２を用いながら説明する。図２は、照明制御の内容を示すフローチャートである。なお、本処理は、所定の周期で繰り返し実行される。
【００３５】
まず、ステップＳ１１では、照明器具１４がＯＦＦ（消灯状態）かを判定する。照明器具１４がＯＦＦ（消灯状態）だと判定した場合には、ステップＳ１２で、人感センサ２１がＯＮかを判定する。人感センサ２１がＯＦＦだと判定した場合（人感センサ２１によって人の存在が検知されない場合）には、ステップＳ１２を否定し、処理を終了する。一方、人感センサ２１がＯＮだと判定した場合（人感センサ２１によって人の存在が検知された場合）には、ステップＳ１２を肯定し、ステップＳ１３で照明器具１４をＯＮにする点灯処理を行い、処理を終了する。
【００３６】
ステップＳ１１で、照明器具１４がＯＮ（点灯状態）だと判定した場合には、引き続き照明器具１４を点灯するか消灯するかを判断する。すなわち、ステップＳ１４で、上蓋センサ２２がＯＮかを判定する。上蓋センサ２２がＯＮだと判定した（上蓋１７が開いている）場合には、ステップＳ１５に進む。
【００３７】
ステップＳ１５では、扉センサ２４がＯＮかを判定する。扉センサ２４がＯＮだと判定した（扉１２が開いている）場合には、ステップＳ１６に進む。ステップＳ１６では、扉１２が開いている状態（扉センサ２４がＯＦＦになる前の状態）で、人感センサ２１がＯＦＦになったか判定する。扉１２が開いている状態で、人感センサ２１がＯＦＦになったと判定した（人が存在しなくなった）場合、上蓋１７が開いたまま放置されたと判定し、ステップＳ１７で照明器具１４をＯＦＦ（消灯状態）にして、処理を終了する。一方、ステップＳ１６で、人感センサ２１がＯＦＦにならないと判定した（人感センサ２１がＯＮのまま、つまり人が存在しており、上蓋１７が開いたまま放置されていない）場合、ステップＳ１３で、引き続き照明器具１４を点灯して、処理を終了する。
【００３８】
ステップＳ１４で上蓋センサ２２がＯＦＦだと判定した（上蓋１７が閉じている）場合、又はステップＳ１５で扉センサ２４がＯＦＦだと判定した（扉１２が閉じている）場合には、ステップＳ１８に進む。ステップＳ１８で、人感センサ２１がＯＮだと判定した（人の存在を検知した）場合、ステップＳ１９で、引き続き照明器具１４を点灯して、処理を終了する。ステップＳ１８で、人感センサ２１がＯＦＦだと判定した（人の存在を検知しない）場合、ステップＳ１７で、照明器具１４をＯＦＦ（消灯状態）にして、処理を終了する。
【００３９】
次に、本照明制御装置によりトイレ１０の照明器具１４の照明制御を行う場合の作用について図３を用いながら説明する。図３は、かかる作用を説明するためのタイムチャートである。なお、以下では、人がトイレ１０に入ってから退出するまでの間における一連の作用について説明する。
【００４０】
図３に示すように、タイミングＴ１よりも以前では、照明器具１４がＯＦＦの状態（消灯状態）にある。タイミングＴ１において、ユーザが扉１２を開き、扉センサ２４がＯＮになる。そして、タイミングＴ２において、ユーザがトイレ１０内に入ることで、人感センサ２１がＯＮになり、照明器具１４が点灯する。そして、タイミングＴ３において、トイレ１０内に入ったユーザが扉１２を閉じて、扉センサ２４がＯＦＦになる。その後、タイミングＴ４で、ユーザが用を足すために、便座１６の上蓋１７を開けると、上蓋センサ２２がＯＮになる。
【００４１】
その後、ユーザが便座１６に座ってしばらくして静止状態になると、タイミングＴ５で、人感センサ２１がユーザの動きを検知しなくなり、ＯＦＦになる。しかしながら、タイミングＴ５では、引き続き上蓋センサ２２がＯＮであることから、照明器具１４が消灯されず、引き続き点灯される。
【００４２】
そして、タイミングＴ６で、ユーザが用を足し終り動き始めると、人感センサ２１が、再びＯＮになる。タイミングＴ７で、ユーザが上蓋１７を閉じると、上蓋センサ２２がＯＦＦになる。タイミングＴ８で、ユーザが扉１２を開き、タイミングＴ９で、出入り口１１から出ると、人感センサ２１がＯＦＦになり、人感センサ２１と上蓋センサ２２とがともにＯＦＦになることから、照明器具１４が消灯される。最後に、タイミングＴ１０で、ユーザが扉１２を閉じ、扉センサ２４がＯＦＦになり、トイレ１０内の人がいなくなり、照明が消灯状態となる。
【００４３】
次に、図４のタイムチャートを用いて、ユーザが上蓋１７を開いたまま放置した場合に、本照明制御装置により照明器具１４の照明制御を行う場合の作用について説明する。なお、タイミングＴ１〜Ｔ６までは、図３のタイムチャートと同じのため、その説明を省略する。
【００４４】
タイミングＴ８で、上蓋１７を開いたままの状態で、ユーザが扉１２を開く。この場合には、上蓋センサ２２がＯＮになったままのため、図４中の二点鎖線に示すように、照明器具１４が点灯したままになることが懸念される。しかしながら、本照明制御装置では、タイミングＴ９で、ユーザが出入り口１１から出ると、人感センサ２１がＯＦＦになり、扉１２が開いている状態で人感センサ２１が人を検知しなくなることから、上蓋１７が開いたまま放置されていると判定され、照明器具１４が消灯される。最後に、タイミングＴ１０で、ユーザが扉１２を閉じ、扉センサ２４がＯＦＦになり、トイレ１０内の人がいなくなり、照明が消灯状態となる。
【００４５】
以上、詳述した本実施形態の構成によれば、以下の優れた効果が得られる。
【００４６】
本実施形態では、人感センサ２１によって人が検出されない場合であっても、便器１５の上蓋１７が開いている状態となっているときには、便器１５が使用状態にあると判定する。この場合、便器１５が使用されていることにより、人が用を足していることを適正に把握できる。そのため、人が便器１５を使用しているのに、照明器具１４が消灯されることを防ぐことができ、トイレ１０内の照明器具１４を適正に点灯させることができる。
【００４７】
また、本実施形態では、上蓋１７が開いている状態を検知していても、上蓋１７が開いたまま放置されていると判定した場合、照明器具１４を消灯する。具体的には、扉１２が開いていると検出された状態で、人感センサ２１が人の存在を検知しなくなると、トイレ１０から人が退出したと推定できる。上蓋１７が開いている状態を検出していても、扉１２が開いており、かつ、人感センサ２１が人の存在を検知しなくなる場合には、上蓋１７が開いたまま放置されていると判定し、照明器具１４を消灯することとしたため、節電等の点から好ましく、トイレ１０内の照明器具１４をより適正に点灯及び消灯させることができる。
【００４８】
＜第２実施形態＞
本実施形態では、マイコン２６により実行される照明制御処理が第１実施形態と異なる。本実施形態では、トイレ１０の構成は、第１実施形態と同様のため、その説明を省略する。なお、本実施形態の図５に示す照明制御処理は、図２に示す第１実施形態の照明制御処理に代えて行うことができる。本処理は、所定の周期で繰り返し実行される。
【００４９】
まず、ステップＳ２１で、人感センサ２１がＯＮかを判定する。人感センサ２１がＯＮだと判定した場合（人感センサ２１によって人の存在が検知された場合）には、ステップＳ２１を肯定し、ステップＳ２２で照明器具１４をＯＮにする点灯処理を行い、処理を終了する。
【００５０】
ステップＳ２１で、人感センサ２１がＯＦＦであると判定した（人感センサ２１によって人の存在が検知されない）場合、ステップＳ２３で、着座センサ２３がＯＮかを判定する。着座センサ２３がＯＮだと判定した（人が便座１６に着座している）場合には、ステップＳ２２で照明器具１４をＯＮのまま維持し、処理を終了する。一方、ステップＳ２３で、着座センサ２３がＯＦＦだと判定した（人が便座１６に着座していない）場合には、ステップＳ２４で、照明器具１４をＯＦＦとする。つまり、人感センサ２１も着座センサ２３もＯＦＦの場合には、照明器具１４をＯＦＦとする。
【００５１】
以上、詳述した本実施形態の構成によれば、以下の優れた効果が得られる。
【００５２】
本実施形態では、人感センサ２１によって人が検出されない場合であっても、着座センサ２３により着座を検出する状態となっているときには、便器１５が使用状態にあると判定する。そのため、人が便器１５を使用しているのに、照明器具１４が消灯されることを防ぐことができ、トイレ内の照明を適正に点灯させることができる。また、最近の便器１５には、温水洗浄便座等の誤作動を防止したり、自動で水洗を行ったりするために、着座センサ２３が設けられていることが多い。そのため、既存のセンサを用いて、便器１５の使用状態を検出することができる。
【００５３】
＜第３実施形態＞
本実施形態では、マイコン２６により実行される照明制御処理が第１実施形態及び第２実施形態と異なる。本実施形態では、トイレ１０の構成は、第１実施形態と同様のため、その説明を省略する。なお、本実施形態の図６に示す照明制御処理は、図２に示す第１実施形態の照明制御処理又は図５に示す第２実施形態の照明制御処理に代えて行うことができる。本処理は、所定の周期で繰り返し実行される。
【００５４】
まず、ステップＳ３１で、人感センサ２１がＯＮかを判定する。人感センサ２１がＯＮだと判定した場合（人感センサ２１によって人の存在が検知された場合）には、ステップＳ３１を肯定し、ステップＳ３２で照明器具１４をＯＮにする点灯処理を行い、処理を終了する。
【００５５】
ステップＳ３１で、人感センサ２１がＯＦＦであると判定した（人感センサ２１によって人の存在が検知されない）場合、ステップＳ３３で、施錠センサ２５がＯＮかを判定する。施錠センサ２５がＯＮだと判定した（扉１２の施錠器具１３が施錠されている）場合には、ステップＳ３２で照明器具１４をＯＮのまま維持し、処理を終了する。一方、ステップＳ３３で、施錠センサ２５がＯＦＦだと判定した（扉１２の施錠器具１３が施錠されていない）場合には、ステップＳ３４で、照明器具１４をＯＦＦとする。つまり、人感センサ２１も施錠センサ２５もＯＦＦの場合には、照明器具１４をＯＦＦとする。
【００５６】
以上、詳述した本実施形態の構成によれば、以下の優れた効果が得られる。
【００５７】
本実施形態では、人感センサ２１によって人が検出されない場合であっても、施錠器具１３が使用されている（施錠器具１３が施錠状態にある）と検出された場合には、照明器具１４の点灯が維持される。この場合、施錠器具１３が使用されていることにより、人がトイレ１０内にいることを適正に把握できる。そのため、人がトイレ１０内にいるのに、照明器具１４が消灯されることを防ぐことができ、トイレ内の照明を適正に点灯させることができる。
＜その他の実施形態＞
本発明は上記した第１〜第３の実施形態に限らず、例えば次のように実施されてもよい。
【００５８】
・上記第１〜第３実施形態では、各センサ２１〜２５を備えるものとしていたが、各実施形態に必要なセンサのみを備えるものとしてもよい。例えば、第１実施形態においては、人感センサ２１と、上蓋センサ２２と、扉センサ２４とを備えるものとしてもよい。また、第２実施形態では、人感センサ２１と、着座センサ２３とを備えるものとしてもよい。また、第３実施形態では、人感センサ２１と、施錠センサ２５とを備えるものとしてもよい。
【００５９】
・上記第１実施形態では、放置判定手段として、ステップＳ１５とステップＳ１６に示すように、扉センサ２４により扉１２が開いていることを検出している状態で、人感センサ２１により人の存在を検知しないことで、上蓋１７が開いたまま放置されていると判定していたが、上蓋センサ２２により上蓋１７が開いていることが検出されてから、所定の時間が経過したことで、上蓋１７が開いたまま放置されていると判定してもよい。
【符号の説明】
【００６０】
１０…トイレ、１１…出入り口、１２…扉、１４…照明器具、１５…便器、１７…上蓋、２１…人感センサ、２２…上蓋センサ、２３…着座センサ、２４…扉センサ、２５…施錠センサ、２６…マイコン。
【図１】
2019046622.tif 000003
【図２】
2019046622.tif 000004
【図３】
2019046622.tif 000005
【図４】
2019046622.tif 000006
【図５】
2019046622.tif 000007
【図６】
2019046622.tif 000008